(57)【特許請求の範囲】
【請求項１】
建物床部の所定の位置に配置された複数の壁部の上部に、複数の天井梁部材と複数の天井根太部材とを縦横に組んで天井枠を形成し、
その後、前記天井枠の上部に、複数の屋根枠材を組んで屋根枠を形成するとともに、屋根板を受ける複数の垂木部材を前記天井枠と屋根枠との間に架設するに際し、
前記複数の壁部の上面に、複数のガイド部材を前記天井梁部材および天井根太部材の端部が嵌まり込む間隔で壁部の長さ方向に沿って取り付けておくとともに、
前記複数の垂木部材の上端部が嵌め込まれる複数の垂木ガイド部が形成された状態のガイド用合板を、前記複数の屋根枠材のうち、前記垂木部材が設けられる棟木部材および隅垂木部材の左右側面に予め貼り付けておき、
前記垂木部材を前記天井枠と屋根枠との間に配置するとともに、垂木部材の上端部を前記垂木ガイド部に嵌め込み、かつ下端部を前記天井根太部材に沿わせて固定することを特徴とする屋根部の施工方法。
【請求項２】
請求項１に記載の屋根部の施工方法において、
前記複数の壁部のうち、対向する外壁部どうし間に複数の天井梁部材を架設するとともに、これら複数の天井梁部材と直交する複数の補助天井梁部材を前記複数の天井梁部材の途中から前記外壁部と直交する他の外壁部に架設し、
その後、前記複数の天井梁部材と平行する複数の第１天井根太部材を前記対向する外壁部どうし間に架設し、前記複数の補助天井梁部材と平行する複数の第２天井根太部材を前記複数の天井梁部材の途中から前記他の外壁部に架設し、前記複数の補助天井梁部材と直交する複数の第３天井根太部材を前記複数の補助天井梁部材の途中から前記外壁部に架設して前記天井枠を形成することを特徴とする屋根部の施工方法。
【請求項３】
請求項１または２に記載の屋根部の施工方法において、
前記複数の第１天井根太部材を前記複数の天井梁部材と平行する方向に案内する複数のガイド部材を、予め前記対向する外壁部と平行して配置された内壁部の上面に、前記第１天井根太部材の途中が嵌まり込む間隔で取り付けておくことを特徴とする屋根部の施工方法。
【請求項４】
請求項２に記載の屋根部の施工方法において、
前記第２および第３天井根太部材の一方の端部を受ける複数の根太受け金物を、予め前記天井梁部材および前記補助天井梁部材のそれぞれの側面に所定の間隔で取り付けておくことを特徴とする屋根部の施工方法。
【請求項５】
請求項１〜４のいずれか一項に記載の屋根部の施工方法において、
上弦材および下弦材を備えた複数のトラス部材を前記複数の天井梁部材に沿って取り付け、前記上弦材の頂部どうし間に棟木部材を架設するとともに、屋根の隅棟部に沿って取り付けられる複数の隅垂木部材の上端部を前記上弦材の頂部の外側面に取り付けて前記屋根枠を形成することを特徴とする屋根部の施工方法。
【発明の詳細な説明】
【技術分野】
【０００１】
本発明は、複数の壁部の上部に天井枠を形成し、その後、この天井枠の上部に屋根枠を形成するとともに、これら前記天井枠と屋根枠との間に垂木部材を架設して建物の屋根部を施工する屋根部の施工方法に関する。
【背景技術】
【０００２】
従来、２×４インチ等の規格化された木材で枠組を作成し、この枠組に対し、構造用合板等の面材を取り付けて建物を構築する枠組壁工法が知られている。また、前記木材を予め工場で採寸、切断および座掘り加工しておくことによって、現場での作業量を減らすことが可能な技術も知られている。
【０００３】
以上のような建物の構築方法によれば、建物や敷地条件に左右されること無く建物を構築することができるという利点がある。
ところが、このような方法で作業を行う場合は、現場に納入される木材等の建築材料の数が非常に多く、その分だけ作業手間が増えるので、工期が長くなってしまうだけでなく、正確な作業手順等を熟知した多くの熟練作業者を確保しなければならないという問題があった。
【０００４】
そこで、このような問題を解決すべく、予め工場で前記木材をパネル化しておき、このようにパネル化したものを現場でクレーンによって建て込むだけで、比較的容易に建物を構築することができるような技術が開発されている（例えば、特許文献１参照）。
【特許文献１】特開２０００−２５７１５２号公報
【発明の開示】
【発明が解決しようとする課題】
【０００５】
ところで、上記特許文献１に記載の技術においては、現場作業者にそれほど高い技能が無くとも品質が安定するということと、工期を短縮することができるという利点がある。
しかし、このように木材をパネル化したものを用いた場合は、パネル化しない場合に比して生産に係るコストが高くなるだけでなく、材料がパネル化して大きくなった分、輸送に係るコストも高くなってしまう場合があった。
【０００６】
そこで、以上のような諸問題を解決し得る技術の開発が強く望まれていた。特に、屋根部においては、例えば天井梁部材や天井根太部材、垂木部材、隅垂木部材等の建築材料が多く用いられるので、作業の簡略化や工期の短縮等、より施工性を向上させたいという要望が強かった。
【０００７】
本発明の課題は、建物全体の施工性について総合的に考慮しつつ、特に、屋根部の施工性を格段に向上させることが可能な屋根部の施工方法を提供することを目的とする。
【課題を解決するための手段】
【０００８】
請求項１に記載の発明は、例えば図１〜図１１に示すように、建物床部の所定の位置に配置された複数の壁部２の上部に、複数の天井梁部材３ａ、３ｂと複数の天井根太部材３ｃ、３ｄ、３ｅとを縦横に組んで天井枠３を形成し、
その後、前記天井枠３の上部に、複数の屋根枠材４Ａを組んで屋根枠４を形成するとともに、屋根板を受ける複数の垂木部材５を前記天井枠３と屋根枠４との間に架設するに際し、
前記複数の壁部２の上面に、複数のガイド部材６を前記天井梁部材３ａ、３ｂおよび天井根太部材３ｃ、３ｄ、３ｅの端部が嵌まり込む間隔で壁部２の長さ方向に沿って取り付けておくとともに、
前記複数の垂木部材５の上端部が嵌め込まれる複数の垂木ガイド部７が形成された状態のガイド用合板７Ａを、前記複数の屋根枠材４Ａのうち、前記垂木部材５が設けられる棟木部材４ｂおよび隅垂木部材４ｃの左右側面に予め貼り付けておき、
前記垂木部材５を前記天井枠３と屋根枠４との間に配置するとともに、垂木部材５の上端部を前記垂木ガイド部７に嵌め込み、かつ下端部を前記天井根太部材３ｃ、３ｄ、３ｅに沿わせて固定することを特徴とする。
【０００９】
請求項１に記載の発明によれば、前記複数の壁部２の上面に、複数のガイド部材６を前記天井梁部材３ａ、３ｂおよび天井根太部材３ｃ、３ｄ、３ｅの端部が嵌まり込む間隔で壁部２の長さ方向に沿って取り付けておくことから、前記複数の天井梁部材３ａ、３ｂおよび天井根太部材３ｃ、３ｄ、３ｅの端部を、前記複数のガイド部材６杆にはめ込むだけで、前記天井梁部材３ａ、３ｂおよび天井根太部材３ｃ、３ｄ、３ｅを正確な位置に取り付けることができる。これによって、これら天井梁部材３ａ、３ｂおよび天井根太部材３ｃ、３ｄ、３ｅの取り付け精度を格段に向上させることが可能となる。
さらには、前記複数の垂木部材５の上端部が嵌め込まれる複数の垂木ガイド部７を、前記垂木部材５が設けられる屋根枠材４Ａの左右側面に形成しておくことから、前記垂木部材５を前記天井枠３と屋根枠４との間に配置した際に、前記複数の垂木部材５の上端部を前記複数の垂木ガイド部７に嵌め込み、下端部を前記天井根太部材３ｃ、３ｄ、３ｅに沿わせて固定するだけで、前記垂木部材５を正確な位置に取り付けることができる。これによって、この垂木部材５の取り付け精度を格段に向上させることが可能となる。
しかも、このように前記天井梁部材３ａ、３ｂおよび天井根太部材３ｃ、３ｄ、３ｅ、垂木部材５の位置決めを容易に、かつ正確に行うことができることから、熟練作業者でなくとも作業を行うことができるので、施工品質の安定性も格段に向上する。
一方、従来とは異なり、前記天井梁部材３ａ、３ｂや天井根太部材３ｃ、３ｄ、３ｅ、垂木部材５、隅垂木部材４ｃ等の建築材料をパネル化せずに施工に用いるので、建物や敷地条件に左右されること無く作業を行うことができるとともに、生産および輸送に係るコストを低減することが可能となる。
したがって、前記複数の壁部２の上面に、複数のガイド部材６を前記天井梁部材３ａ、３ｂおよび天井根太部材３ｃ、３ｄ、３ｅの端部が嵌まり込む間隔で壁部２の長さ方向に沿って取り付けておくとともに、前記複数の垂木部材５の上端部が嵌め込まれる複数の垂木ガイド部７を、前記垂木部材５が設けられる屋根枠材４Ａの左右側面に形成しておくことによって、建物全体の施工性について総合的に考慮しつつ、特に屋根部１の施工性を格段に向上させることが可能となる。
【００１０】
請求項２に記載の発明は、例えば図１〜図４に示すように、請求項１に記載の屋根部１の施工方法において、
前記複数の壁部２のうち、対向する外壁部２Ａどうし間に複数の天井梁部材３ａを架設するとともに、これら複数の天井梁部材３ａと直交する複数の補助天井梁部材３ｂを前記複数の天井梁部材３ａの途中から前記外壁部２Ａと直交する他の外壁部２０Ａに架設し、
その後、前記複数の天井梁部材３ａと平行する複数の第１天井根太部材３ｃを前記対向する外壁部２Ａどうし間に架設し、前記複数の補助天井梁部材３ｂと平行する複数の第２天井根太部材３ｄを前記複数の天井梁部材３ａの途中から前記他の外壁部２０Ａに架設し、前記複数の補助天井梁部材３ｂと直交する複数の第３天井根太部材３ｅを前記複数の補助天井梁部材３ｂの途中から前記外壁部２Ａに架設して前記天井枠３を形成することを特徴とする。
【００１１】
請求項２に記載の発明によれば、前記複数の壁部２の上部に前記天井梁部材３ａおよび補助天井梁部材３ｂを組み、これら天井梁部材３ａおよび補助天井梁部材３ｂから前記外壁部２Ａ、２０Ａに前記第１〜第３天井根太部材３ｃ、３ｄ、３ｅを縦横に架け渡すようにするので、前記天井枠３を強固に組むことが可能となる。
しかも、従来とは異なり、前記天井梁部材３ａ、３ｂや各天井根太部材３ｃ、３ｄ、３ｅ等の建築材料をパネル化せずに施工に用いるので、建物や敷地条件に左右されること無く作業を行うことができるとともに、生産および輸送に係るコストを低減することが可能となる。
【００１２】
請求項３に記載の発明は、例えば図４および図１１に示すように、請求項１または２に記載の屋根部１の施工方法において、
前記複数の第１天井根太部材３ｃを前記複数の天井梁部材３ａと平行する方向に案内する複数のガイド部材６を、予め前記対向する外壁部２Ａと平行して配置された内壁部２Ｂの上面に、前記第１天井根太部材３ｃの途中が嵌まり込む間隔で取り付けておくことを特徴とする。
【００１３】
請求項３に記載の発明によれば、予め前記対向する外壁部２Ａと平行して配置された内壁部２Ｂの上面に前記複数のガイド部材６を取り付けておくことによって、前記第１天井根太部材３ｃを前記ガイド部材６間に嵌め込みながら前記対向する外壁部２Ａどうし間に架設することができるので、前記複数の第１天井根太部材３ｃを前記天井梁部材３ａと平行する方向に容易に、かつ正確に案内することができる。これによって、前記複数の天井根太部材３ｃ、３ｄ、３ｅの取り付け作業を簡略することができるとともに、施工工期の短縮を図ることが可能となり、延いては、屋根部１の施工性を向上させることが可能となる。
しかも、前記複数の第１天井根太部材３ｃの途中を、前記内壁部２Ｂの上面に一旦載置してから前記対向する外壁部２Ａどうし間に架設するようになるので、前記第１天井根太部材３ｃ自体の撓みを抑えることができるとともに、上方からの荷重を確実に支持することが可能となる。
【００１４】
請求項４に記載の発明は、例えば図１および図４に示すように、請求項２に記載の屋根部１の施工方法において、
前記第２および第３天井根太部材３ｄ、３ｅの一方の端部を受ける複数の根太受け金物８を、予め前記天井梁部材３ａおよび前記補助天井梁部材３ｂのそれぞれの側面に所定の間隔で取り付けておくことを特徴とする。
【００１５】
請求項４に記載の発明によれば、前記複数の根太受け金物８を、予め前記天井梁部材３ａおよび前記補助天井梁部材３ｂのそれぞれの側面に所定の間隔で取り付けておくことによって、前記第２および第３天井根太部材３ｄ、３ｅを、それぞれ前記天井梁部材３ａおよび前記補助天井梁部材３ｂから外壁部２Ａ、２０Ａに架け渡すだけで、前記天井梁部材３ａから前記他の外壁部２０Ａ間、および前記補助天井梁部材３ｂから前記外壁部２Ａ間に前記第２および第３天井根太部材３ｄ、３ｅを容易に、かつ正確に取り付けることができる。これによって、前記第２および第３天井根太部材３ｄ、３ｅの取り付け作業を簡略化することができるとともに、施工工期の短縮を図ることが可能となり、延いては屋根部１の施工性を向上させることが可能となる。
【００１６】
請求項５に記載の発明は、例えば図５に示すように、請求項１〜４のいずれか一項に記載の屋根部１の施工方法において、
上弦材４０Ａおよび下弦材４０Ｂを備えた複数のトラス部材４ａを前記複数の天井梁部材３ａに沿って取り付け、前記上弦材４０Ａの頂部４０ａどうし間に棟木部材４ｂを架設するとともに、屋根の隅棟部に沿って取り付けられる複数の隅垂木部材４ｃの上端部を前記上弦材４０Ａの頂部４０ａの外側面に取り付けて前記屋根枠４を形成することを特徴とする。
【００１７】
請求項５に記載の発明によれば、前記複数のトラス部材４ａを前記複数の天井梁部材３ａに沿って取り付け、前記上弦材４０Ａの頂部４０ａどうし間に棟木部材４ｂを架設するとともに、屋根の隅棟部に沿って取り付けられる複数の隅垂木部材４ｃの上端部を前記上弦材４０Ａの頂部４０ａの外側面に取り付けるようにするので、前記屋根枠４を強固に組むことが可能となる。
しかも、従来とは異なり、前記垂木部材５や隅垂木部材４ｃ等の建築材料をパネル化せずに施工に用いるので、建物や敷地条件に左右されること無く作業を行うことができるとともに、生産および輸送に係るコストを低減することが可能となる。
【発明の効果】
【００１８】
本発明によれば、複数の壁部の上面に、複数のガイド部材を天井梁部材および天井根太部材の端部が嵌まり込む間隔で壁部の長さ方向に沿って取り付けておくとともに、複数の垂木部材の上端部が嵌め込まれる複数の垂木ガイド部を、垂木部材が設けられる屋根枠材の左右側面に形成しておくことによって、前記天井梁部材および天井根太部材、垂木部材の位置決めを容易に、かつ正確に行うことができる。これによって、前記複数の壁部の上部に形成される天井枠と、この天井枠の上部に形成される屋根枠を精度良く組むことが可能となるので、施工品質の安定性に優れ、なおかつ、屋根部の作業性が格段に向上するとともに、屋根部、延いては建物全体の施工工期を短縮することができる。
一方、従来とは異なり、前記天井梁部材や天井根太部材、垂木部材、隅垂木部材等の建築材料をパネル化せずに施工に用いるので、建物や敷地条件に左右されること無く作業を行うことができるとともに、生産および輸送に係るコストを低減することが可能となる。
したがって、建物全体の施工性について総合的に考慮しつつ、特に屋根部の施工性を格段に向上させることが可能となる。
【発明を実施するための最良の形態】
【００１９】
以下、図面を参照して本発明に係る屋根部１の施工方法の実施の形態について説明する。なお、本実施の形態の屋根部１は、２×４インチの断面を有する木材、または２インチはそのままで４インチの整数倍の断面長さを有する木材を、主として釘打ち工法によって建て、壁全体で支える構造法で構築される。
【００２０】
本実施の形態の屋根部１の施工方法は、図１〜図１１に示すように、建物床部の所定の位置に配置された複数の壁部２の上部に、複数の天井梁部材３ａ、３ｂと複数の天井根太部材３ｃ、３ｄ、３ｅとを縦横に組んで天井枠３を形成し、
その後、前記天井枠３の上部に、複数の屋根枠材４Ａを組んで屋根枠４を形成するとともに、屋根板を受ける複数の垂木部材５を前記天井枠３と屋根枠４との間に架設するに際し、
前記複数の壁部２の上面に、複数のガイド部材６を前記天井梁部材３ａ、３ｂおよび天井根太部材３ｃ、３ｄ、３ｅの端部が嵌まり込む間隔で壁部２の長さ方向に沿って取り付けておくとともに、
前記複数の垂木部材５の上端部が嵌め込まれる複数の垂木ガイド部７を、前記複数の屋根枠材４Ａのうち、前記垂木部材５が設けられる屋根枠材４Ａの左右側面に形成しておき、
前記垂木部材５を前記天井枠３と屋根枠４との間に配置するとともに、垂木部材５の上端部を前記垂木ガイド部７に嵌め込み、かつ下端部を前記天井根太部材３ｃ、３ｄ、３ｅに沿わせて固定するというものである。
【００２１】
ここで、前記建物床部は、図示はしないが、建物の基礎上に複数の土台部材および大引部材からなる床枠を形成し、その後、床板を支持する複数の床根太部材を前記床枠上に架設してなる。
【００２２】
前記複数の壁部２は、上上下枠部材２ａ、２ｂと両側縦枠部材２ｃとを組んで形成された四角枠内に複数の中間縦枠部材２ｄを立設してなり、図１０は前記建物床部の外周に配置された外壁部２Ａおよび他の外壁部２０Ａを示し、図１１は前記建物床部上に複数の部屋を形成するようにして配置された内壁部２Ｂを示している。
また、隣接する前記複数の壁部２どうしの一方の上枠部材２ａ上面から他方の上枠部材２ａ上面にわたって頭つなぎ部材２ｅを取り付けるようにする。これによって、前記隣接する壁部２どうしを強固に連結固定することができるので、前記複数の壁部２の設置状態を向上させることが可能となっている。
【００２３】
さらに、前記頭つなぎ部材２ｅの上面には、前記複数のガイド部材６を取り付けておき、前記複数の壁部２の上部に前記天井枠３を形成しやすくしておく。
このガイド部材６は、前記頭つなぎ部材２ｅの上面において、前記天井梁部材３ａ、３ｂおよび天井根太部材３ｃ、３ｄ、３ｅの端部が嵌まり込む間隔で前記壁部２の長さ方向に沿って取り付けられており、短尺で、略矩形状に形成された板材が用いられている。
なお、上述したように、前記天井梁部材３ａ、３ｂおよび天井根太部材３ｃ、３ｄ、３ｅの端部を前記複数のガイド部材６間に嵌め込むことによって、これら複数のガイド部材６が前記天井梁部材３ａ、３ｂおよび天井根太部材３ｃ、３ｄ、３ｅの転び止めとしての役割を果たすことができるようになっている。
【００２４】
そして、前記天井枠３は、図４に示すように、前記複数の壁部２のうち、対向する外壁部２Ａどうし間に複数の天井梁部材３ａを架設するとともに、これら複数の天井梁部材３ａと直交する複数の補助天井梁部材３ｂを前記複数の天井梁部材３ａの途中から前記外壁部２Ａと直交する他の外壁部２０Ａに架設し、
その後、前記複数の天井梁部材３ａと平行する複数の第１天井根太部材３ｃを前記対向する外壁部２Ａどうし間に架設し、前記複数の補助天井梁部材３ｂと平行する複数の第２天井根太部材３ｄを前記複数の天井梁部材３ａの途中から前記他の外壁部２０Ａに架設し、前記複数の補助天井梁部材３ｂと直交する複数の第３天井根太部材３ｅを前記複数の補助天井梁部材３ｂの途中から前記外壁部２Ａに架設して形成するものである。
【００２５】
ここで、前記天井梁部材３ａは、図１に示すように、対向する外壁部２Ａどうし間に架設されるものであり、異なる長さの木材の側面どうしを貼り付けて固定することで凹部と凸部とを備えた梁材を形成し、この梁材と対になる梁材を、それぞれの凹凸が噛み合うように接続して１本の長尺な前記天井梁部材３ａを形成するようにしている。
【００２６】
前記補助天井梁部材３ｂは、前記複数の天井梁部材３ａの途中から前記外壁部２Ａと直交する他の外壁部２０Ａに架設されるものであり、複数の天井梁部材３ａと直交している。また、この補助天井梁部材３ｂは、同一長さの木材の側面どうしを貼り付けて固定することによって形成されている。
【００２７】
前記第１天井根太部材３ｃは、図２および図４に示すように、前記複数の天井梁部材３ａと平行するようにして前記対向する外壁部２Ａどうし間に架設されるものであり、異なる長さの木材の端面どうしを接続して１本の長尺な前記第１天井根太部材３ｃを形成するようにしている。
この第１天井根太部材３ｃの木材どうしの接続部分は、前記対向する外壁部２Ａと平行して配置された内壁部２Ｂの上面に位置している。
【００２８】
さらに、これら複数の第１天井根太部材３ｃを前記複数の天井梁部材３ａと平行する方向に案内する複数のガイド部材６を、予め前記対向する外壁部２Ａと平行して配置された内壁部２Ｂの上面に、前記第１天井根太部材３ｃの途中が嵌まり込む間隔で取り付けておく。
また、上述したように複数のガイド部材６が取り付けられた前記頭つなぎ部材２ｅが、図１１に示すように、前記内壁部２Ｂの上面の所定の位置に取り付けられた状態となっている。
【００２９】
これによって、前記第１天井根太部材３ｃを前記ガイド部材６間に嵌め込みながら前記対向する外壁部２Ａどうし間に架設することができるので、前記複数の第１天井根太部材３ｃを前記天井梁部材３ａと平行する方向に容易に、かつ正確に案内することができる。したがって、前記複数の天井根太部材３ｃ、３ｄ、３ｅの取り付け作業を簡略することができるとともに、施工工期の短縮を図ることが可能となり、延いては屋根部１の施工性を向上させることが可能となる。
しかも、前記複数の第１天井根太部材３ｃの途中を、前記内壁部２Ｂの上面に一旦載置してから前記対向する外壁部２Ａどうし間に架設するようになるので、前記第１天井根太部材３ｃ自体の撓みを抑えることができるとともに、上方からの荷重を確実に支持することが可能となる。
【００３０】
前記第２天井根太部材３ｄは、図２および図４に示すように、前記複数の補助天井梁部材３ｂと平行するようにして、前記複数の天井梁部材３ａの途中から前記外壁部２Ａと直交する他の外壁部２０Ａに架設されるものであり、前記補助天井梁部材３ｂと略同様の長さの木材を用いている。
【００３１】
前記第３天井根太部材３ｅは、前記複数の補助天井梁部材３ｂと直交するようにして、前記補助天井梁部材３ｂの途中から外壁部２Ａに架設されるものであり、前記第１および第２天井根太部材３ｃ、３ｄよりも短尺な木材を用いている。
【００３２】
また、前記第２および第３天井根太部材３ｄ、３ｅの一方の端部を受ける複数の根太受け金物８を、予め前記天井梁部材３ａおよび前記補助天井梁部材３ｂのそれぞれの側面に所定の間隔で取り付けておくようにする。
【００３３】
これによって、前記第２および第３天井根太部材３ｄ、３ｅを、それぞれ前記天井梁部材３ａおよび前記補助天井梁部材３ｂから外壁部２Ａ、２０Ａに架け渡すだけで、前記天井梁部材３ａから前記他の外壁部２０Ａ間、および前記補助天井梁部材３ｂから前記外壁部２Ａ間に前記第２および第３天井根太部材３ｄ、３ｅを容易に、かつ正確に取り付けることができる。したがって、前記第２および第３天井根太部材３ｄ、３ｅの取り付け作業を簡略化することができるとともに、施工工期の短縮を図ることが可能となり、延いては屋根部１の施工性を向上させることが可能となる。
【００３４】
そして、図３および図４に示すように、前記第１天井根太部材３ｃの木材どうしの接続部分には添木部材９と、この添木部材９とともに前記第１天井根太部材３ｃの転び止めとなる転び止め部材１０とが取り付けられており、前記第１天井根太部材３ｃの補強および転び止めが成されている状態となっている。
また、前記複数の第２天井根太部材３ｄの上面には、これら複数の第２天井根太部材３ｄどうしを繋ぐつなぎ部材１１が取り付けられており、天井板（図示せず）を設ける際などにこれら第２天井根太部材３ｄがずれないように固定された状態となっている。
【００３５】
以上のような天井枠３によれば、前記複数の壁部２の上部に前記天井梁部材３ａおよび補助天井梁部材３ｂを組み、これら天井梁部材３ａおよび補助天井梁部材３ｂから前記外壁部２Ａ、２０Ａに前記第１〜第３天井根太部材３ｃ、３ｄ、３ｅを縦横に架け渡すようにするので、前記天井枠３を強固に組むことが可能となる。
しかも、従来とは異なり、前記天井梁部材３ａ、３ｂや各天井根太部材３ｃ、３ｄ、３ｅ等の建築材料をパネル化せずに施工に用いるので、建物や敷地条件に左右されること無く作業を行うことができるとともに、生産および輸送に係るコストを低減することが可能となる。
【００３６】
一方、前記屋根枠４は、図５に示すように、上弦材４０Ａおよび下弦材４０Ｂを備えた複数のトラス部材４ａを前記複数の天井梁部材３ａに沿って取り付け、前記上弦材４０Ａの頂部４０ａどうし間に棟木部材４ｂを架設するとともに、屋根の隅棟部に沿って取り付けられる複数の隅垂木部材４ｃの上端部を前記上弦材４０Ａの頂部４０ａの外側面に取り付けて形成するものである。
【００３７】
ここで、前記トラス部材４ａは、図４に示すように、前記下弦材４０Ｂを前記複数の天井梁部材３ａに沿って前記対向する外壁部２Ａどうし間に架設し、これに伴って、図５に示すように、前記上弦材４０Ａも平面視において前記下弦材４０Ｂと同じ位置に配置するようになっている。すなわち、前記複数のトラス部材４ａは前記天井枠３の複数の天井梁部材３ａに隣接して取り付けられた状態となっている。
【００３８】
前記棟木部材４ｂは、前記上弦材４０Ａの頂部４０ａどうし間に桁行方向に架設されるものであり、図９に示すように、前記上弦材４０Ａの頂部４０ａ、４０ａには、前記棟木部材４ｂを受けるための棟木受け部材４０ｃが予め取り付けられている。
さらに、図８（ａ）に示すように、左右両側面にガイド用合板７Ａが貼り付けられている。このガイド用合板７Ａには、垂木部材５の上端部を嵌め込むための垂木ガイド部７が形成された状態となっている。
また、このような垂木ガイド部７が形成されたガイド用合板７Ａを、予め前記棟木部材４ｂに貼り付けておくことによって、垂木部材５の取り付け作業を簡略化することができるとともに、施工工期の短縮を図ることが可能となり、延いては屋根部１の施工性を向上させることが可能となっている。
【００３９】
前記隅垂木部材４ｃは、屋根の隅棟部に沿って取り付けられるものであり、図５および図８（ａ）に示すように、上端部を前記上弦材４０Ａの頂部４０ａの外側面に取り付けるようにしている。また、この隅垂木部材４ｃは、図８（ｂ）に示すように、その上端部に、前記上弦材４０Ａの頂部４０ａの外側面に当接させるための第１の当接面と、隣接して設けられる隅垂木部材４ｃに当接させるための第２の当接面とが形成された状態となっている。
【００４０】
そして、前記隅垂木部材４ｃを前記上弦材４０Ａの頂部４０ａの外側面に取り付ける際は、図示はしないが、前記隅垂木部材４ｃの端部を受け、かつ取付方向を決定する隅垂木ガイド溝部を形成しておくとともに、図９に示すように、これら隅垂木部材４ｃの上端部が当接する前記上弦材４０Ａの外側面の下方に、予め隅垂木受け部材４０ｂを取り付けておくようにする。
【００４１】
さらに、この隅垂木部材４ｃには、図８（ａ）、（ｂ）および図９に示すように、垂木部材５の上端部を嵌め込むための垂木ガイド部７が形成されたガイド用合板７Ａが左右両側面に貼り付けられている。このようなガイド用合板７Ａを、予め前記隅垂木部材４ｃに貼り付けておくことによって、垂木部材５の取り付け作業を簡略化することができるとともに、施工工期の短縮を図ることが可能となり、延いては屋根部１の施工性を向上させることが可能となっている。
【００４２】
ここで、前記垂木ガイド部７は、嵌め込まれる垂木部材５の端部の断面形状によって大きさを変えて形成するようにしている。すなわち、前記棟木部材４ｂに形成された垂木ガイド部７の場合は、前記垂木部材５が前記棟木部材４ｂに対して直角の向きで嵌め込まれるので、前記垂木ガイド部７を前記垂木部材５の幅寸法の分だけ形成すれば良い。
一方、前記隅垂木部材４ｃに形成された垂木ガイド部７の場合は、前記隅垂木部材４ｃ自体が、前記棟木部材４ｂや外壁部２Ａ、２０Ａに対して平面視で斜めに設置されるものであることから、このような隅垂木部材４ｃに取り付けられる垂木部材５の端部は斜めに切断された状態となっている。このため、前記垂木ガイド部７は、斜めに切断された垂木部材５の端部を嵌め込むことが可能な大きさに形成すれば良い。
【００４３】
以上のような屋根枠４によれば、前記複数のトラス部材４ａを前記複数の天井梁部材３ａに沿って取り付け、前記上弦材４０Ａの頂部４０ａどうし間に棟木部材４ｂを架設するとともに、屋根の隅棟部に沿って取り付けられる複数の隅垂木部材４ｃの上端部を前記上弦材４０Ａの頂部４０ａの外側面に取り付けるようにするので、前記屋根枠４を強固に組むことが可能となる。
しかも、従来とは異なり、前記垂木部材５や隅垂木部材４ｃ等の建築材料をパネル化せずに施工に用いるので、建物や敷地条件に左右されること無く作業を行うことができるとともに、生産および輸送に係るコストを低減することが可能となる。
【００４４】
一方、前記垂木部材５は、その上面で屋根板を受ける木材であり、図５および図６に示すように、縦横に配置するようになっており、上述したように、前記棟木部材４ｂに対しては直角に取り付け、前記隅垂木部材４ｃに対しては上端部を斜めに切断して縦横に取り付けるようにしている。
【００４５】
なお、この垂木部材５は、上述したように、上端部を前記垂木ガイド部７に嵌め込み、下端部を前記天井根太部材３ｃ、３ｄ、３ｅに沿わせて固定して、前記天井枠３と屋根枠４との間に架設するものであり、すなわち、前記垂木ガイド部７に対して前記天井根太部材３ｃ、３ｄ、３ｅは、平面視において前記垂木部材５の分だけずれるように配置された状態となっている。
【００４６】
そして、前記垂木部材５の取り付け作業が終了したら、図７に示すように、前記複数の垂木部材５の下端面に鼻隠部材１２を取り付けておくようにする。
また、前記垂木部材５とともに屋根板を受ける複数の屋根板受け材１３を、所定の高さ位置において前記垂木部材５と直交して取り付けるようにする。
【００４７】
この時、図示はしないが、前記トラス部材４ａの上弦材４０Ａおよび隅垂木部材４ｃの左右両側面に、予め前記屋根板受け材１３の端部を受ける切欠部を形成しておくとともに、前記複数の垂木部材５の両側面に、前記屋根板受け材１３の端部を受けるガイド材を予め取り付けておくことによって、前記トラス部材４ａの上弦材４０Ａと垂木部材５との間や、前記隅垂木部材４ｃと垂木部材５との間、垂木部材５どうし間に前記屋根板受け材１３を簡単に架け渡すことができるようになっている。
このように、前記トラス部材４ａの上弦材４０Ａおよび隅垂木部材４ｃの左右両側面、さらに前記複数の垂木部材５の両側面に、前記屋根板受け材１３の端部を受けるガイド材および切欠部を設けておくことで、前記屋根板受け材１３を簡単に取り付けることができるだけでなく、屋根板をより確実に支持することが可能となる。
そして、前記切欠部の形成作業を予め工場等で行っておくことによって、現場での作業性を向上させることが可能となるので望ましい。
【００４８】
なお、本実施の形態の屋根部１は、この屋根部１を構築するための各部材を木材と金物等で構成しているが、これに限られるものではなく、例えば、前記根太受け金物８を木材で構成したり、前記複数のガイド部材６を金物で構成したり、また、屋根部１全体をスチール製の金属で構成したり等、本発明の趣旨を逸脱しない範囲で適宜変更可能である。
【００４９】
以上のように本実施の形態によれば、複数の壁部２の上面に、複数のガイド部材６を天井梁部材３ａ、３ｂおよび天井根太部材３ｃ、３ｄ、３ｅの端部が嵌まり込む間隔で壁部２の長さ方向に沿って取り付けておくとともに、複数の垂木部材５の上端部が嵌め込まれる複数の垂木ガイド部７を、垂木部材５が設けられる屋根枠材４Ａの左右側面に形成しておくことによって、前記天井梁部材３ａ、３ｂおよび天井根太部材３ｃ、３ｄ、３ｅ、垂木部材５の位置決めを容易に、かつ正確に行うことができる。これによって、前記複数の壁部２の上部に形成される天井枠３と、この天井枠３の上部に形成される屋根枠４を精度良く組むことが可能となるので、施工品質の安定性に優れ、なおかつ、屋根部１の作業性が格段に向上するとともに、屋根部１、延いては建物全体の施工工期を短縮することができる。
一方、従来とは異なり、前記天井梁部材３ａ、３ｂや天井根太部材３ｃ、３ｄ、３ｅ、垂木部材５、隅垂木部材４ｃ等の建築材料をパネル化せずに施工に用いるので、建物や敷地条件に左右されること無く作業を行うことができるとともに、生産および輸送に係るコストを低減することが可能となる。
したがって、建物全体の施工性について総合的に考慮しつつ、特に屋根部１の施工性を格段に向上させることが可能となる。
【図面の簡単な説明】
【００５０】
【図１】複数の壁部上における複数の天井梁部材の設置位置を示す平面図である。
【図２】複数の天井根太部材の設置位置を示す平面図である。
【図３】つなぎ部材と添木部材と転び止め部材の設置位置を示す平面図である。
【図４】天井枠を示す平面図である。
【図５】屋根枠を示す平面図である。
【図６】垂木部材の設置位置を示す平面図である。
【図７】屋根板受け材と鼻隠部材の設置位置を示す平面図である。
【図８】屋根枠の要部拡大図であり、（ａ）はトラス部材と棟木部材と隅垂木部材とのそれぞれの取付部分を示し、（ｂ）は隅垂木部材の端部を示している。
【図９】隅垂木部材の取付部分を示す正面図である。
【図１０】外壁部を示す正面図である。
【図１１】内壁部を示す正面図である。
【符号の説明】
【００５１】
１  屋根部
２  壁部
３  天井枠
３ａ  天井梁部材
３ｂ  補助天井梁部材
３ｃ  第１天井根太部材
３ｄ  第２天井根太部材
３ｅ  第３天井根太部材
４  屋根枠
４ａ  トラス部材
４ｂ  棟木部材
４ｃ  隅垂木部材
５  垂木部材
６  ガイド部材
７  垂木ガイド部
【図１】
0004769040.tif 000002
【図２】
0004769040.tif 000003
【図３】
0004769040.tif 000004
【図４】
0004769040.tif 000005
【図５】
0004769040.tif 000006
【図６】
0004769040.tif 000007
【図７】
0004769040.tif 000008
【図８】
0004769040.tif 000009
【図９】
0004769040.tif 000010
【図１０】
0004769040.tif 000011
【図１１】
0004769040.tif 000012